(57)【要約】      （修正有）【課題】従来の一般的な草刈り機は、基板の取付け孔の近傍に設けた線材刃・平板刃等の草刈り刃物の取付け基端を係止する係止部、孔等の取付け部と、取付け部に螺入又は緊締する止め具、緊締具等の取付け具で構成する。草の条件（堅軟、長短、太い、細い、密度等）に関わらず、刈り取りできる取り付け部を提供する。【解決手段】取付け孔２を開設した基板１の上面に螺子部を備えた取付け突起３を形成し、取付け突起３と螺子部を貫通する貫通孔３０１と、取付け突起３の螺子部に螺合する螺杆６００を備えた把持突条６０１を設けた固定具６とで構成した草刈り・稲刈り用の刃物で、線材刃５を、貫通孔３０１に貫設し、かつ取付け突起３の螺子部に螺合する固定具６の螺杆６００で緊締する構成とした草刈り・稲刈り用の刃物である。従って、線材刃５の取付け、取外しが簡便である。【選択図】図３
2007312747.tif 000002
【特許請求の範囲】
【請求項１】
センターに取付け孔を開設した基板と、この基板の上面に対称位置関係となる内側に螺子部を刻設した複数の取付け突起を形成し、この取付け突起と螺子部を貫通する前記基板のセンターに向って開設した貫通孔と、前記取付け突起の螺子部に螺合する螺杆を備え、かつその上面に把持突条、嵌合溝等の可動手段を設けた固定具とで構成した草刈り・稲刈り用の刃物であって、
この草刈り・稲刈り用の刃物用の複数の線材刃を、前記取付け突起の貫通孔に、それぞれ貫設し、かつこの取付け突起の螺子部に螺合する固定具の螺杆で緊締するに際し、この取付け突起の螺子部に、この固定具の螺杆を螺入し、この螺杆の下端を、この取付け突起の底面に圧着して緊締する構成とした草刈り・稲刈り用の刃物。
【請求項２】
請求項１に記載の草刈り・稲刈り用の刃物において、この取付け突起の螺子部の螺子の刻設方向が、この基板の回転方向と逆方向に刻設されている構成とした草刈り・稲刈り用の刃物。
【請求項３】
請求項１に記載の草刈り・稲刈り用の刃物において、この取付け突起に、押さえ円板の裏面を接触し、この押さえ円板を、前記基板に重畳し、この押さえ円板の複数の孔を介して前記固定具の螺杆を、前記取付け突起の螺子に螺合する構成とした草刈り・稲刈り用の刃物。
【請求項４】
センターに取付け孔を開設した基板と、この基板の上面に対称位置関係となる内側に螺子部を刻設した複数の取付け突起を形成し、またこの取付け突起の螺子部に螺合する螺杆を備え、かつその上面に把持突条、嵌合溝等の可動手段を設け、しかも前記取付け突起より大径となる鍔片を備えた固定具とで構成した草刈り・稲刈り用の刃物であって、
この草刈り・稲刈り用の刃物用の複数の勾玉状でなる平板刃の取付け孔を、前記取付け突起に、それぞれ遊嵌し、かつこの取付け突起の螺子部に螺合する固定具の螺杆で緊締するに際し、前記基板の上面と、この固定具の下面とで緊締する構成とした草刈り・稲刈り用の刃物。
【請求項５】
請求項４に記載の草刈り・稲刈り用の刃物において、この取付け突起に、押さえ円板の裏面を接触し、この押さえ円板を、前記基板に重畳し、この重畳空間に前記平板刃を設け、かつこの押さえ円板の複数の孔を介して前記固定具の螺杆を、前記取付け突起の螺子部に螺合する構成とした草刈り・稲刈り用の刃物。
【請求項６】
センターに取付け孔を開設した基板と、この基板の上面に対称位置関係となる内側に螺子部を刻設した複数の取付け突起を形成し、この取付け突起と螺子部を貫通する前記基板のセンターに向って開設した貫通孔と、前記取付け突起の螺子部に螺合する螺杆を備え、かつその上面に把持突条、嵌合溝等の可動手段を設けた固定具とで構成した草刈り・稲刈り用の刃物であって、
この草刈り・稲刈り用の刃物用の複数の線材刃を、前記取付け突起の貫通孔に、それぞれ貫設し、かつこの取付け突起の螺子部に螺合する固定具の螺杆で緊締するに際し、この取付け突起の螺子部に、この固定具の螺杆を螺入し、この螺杆の下端を、この取付け突起の底面に圧着して緊締する構成と、
またこの草刈り・稲刈り用の刃物用の複数の勾玉状でなる平板刃の取付け孔を、前記取付け突起に、それぞれ遊嵌し、かつこの取付け突起の螺子部に螺合する固定具の螺杆で緊締するに際し、前記基板の上面と、この固定具の下面とで緊締する構成と、
を必要時に、それぞれ選択可能とすることを特徴とする構成とした草刈り・稲刈り用の刃物。
【発明の詳細な説明】
【技術分野】
【０００１】
本発明は、草刈り・稲刈り用の刃物用の複数の線材刃と、草刈り・稲刈り用の刃物用の複数の勾玉状でなる平板刃とを個別又は選択可能とする構成の草刈り・稲刈り用の刃物に関する。
【背景技術】
【０００２】
この種の草刈り機の草刈り・稲刈り用の刃物は、従来の円板刃物、例えば、特開平１１−３３２３４７の「草刈機」に開示されているものが知られている（参考文献とする）。この草刈り刃物は、円板刃物であり、草刈りの効率化と、その植物の葉、小枝等の如く、比較的柔らかいものから、茎等の如く、硬いものまで満遍なく行える特徴を有するが、作業に熟練を要すること、危険性があること、また円板刃物が高価であること、刃物破損時の取扱いが面倒であること等の改良点がある。
【０００３】
従って、昨今は、円板刃物の代替品として、例えば、線材刃物（線材刃）や、勾玉状の刃物（平板刃）が市販される等の状況であって、それなりに重宝されている。従って、この線材刃、平板刃等に関する先行文献が色々散見されるが、以下、本発明と関連性がある発明、考案を説明する。
【０００４】
まず文献（１）に、特開２００１−１６９４５の「草刈機用回転刃」がある。この発明は、回転円盤に取付け孔、枢支部と、前後ストッパーとを設け、この枢支部に棒刃（線材刃と同じ）の基端部を固定ネジで枢支し、この棒刃は、平面視して略く字形であって、回転円盤の回転で、遠心力が働く構成であり、この遠心力を利用し、棒刃の先端部が、回転円盤の外側に突出し、かつ後ストッパーに衝止する。尚、棒刃が復帰した時に、前ストッパーに衝止するとともに、棒刃の先端部が、回転円盤の内側に収容される。この発明では、棒刃に強靭性を付与すること、棒刃の離脱を防止すること等を意図する。
【０００５】
また文献（２）に、実開平６−５４１３の「円板型草刈刃」がある。この考案は、基板に、その軸心方向に長く開口された複数の長孔を設け、この長孔に可動自在に緊締具を設け、この緊締具に線材刃を着脱自在に係止する構成であり、線材刃を、基板の半径方向に可動自在とし、この線材刃に祐度を付与すること、線材刃の取替えの容易化を図ること等を意図する。
【０００６】
さらに文献（３）に、特開平１１−３４６５３１の「ナイロンカッターコード式回転刃」がある。この発明は、上下部円盤で構成された基板に、ガイドピンを介して線材刃（ナイロンカッターコード）と、平板刃（プラスチックブレード刃）とを並設可能とするとともに、この線材刃と、平板刃との弛緩防止用の金属製線材を設ける構成であり、線材刃の長さ調整と、弛緩防止、又は両刃の併用で、草刈りの効率化を図ることを意図する。
【０００７】
また文献（４）に、特開２０００−５０７１７の「草刈用回転刃」がある。この発明は、上下盤間で、かつこの上下盤の周辺部に、複数の円板刃物（プラスチック製切断手段で平板刃と同じ）を回転自在に設けた構成であり、この上下盤及び複数の円板刃物の回転を利用して草刈りを行うことを特徴とする。
【０００８】
【特許文献１】特開２００１−１６９４５
【特許文献２】実開平６−５４１３
【特許文献３】特開平１１−３４６５３１
【特許文献４】特開２０００−５０７１７
【発明の開示】
【発明が解決しようとする課題】
【０００９】
以上の文献（１）〜（３）は、基板の取付け孔の近傍に設けた線材刃及び／又は平板刃等の草刈り刃物の取付け基端を係止する係止部、孔等の取付け部と、この取付け部に螺入又は緊締する止め具、緊締具等の取付け具とを主構成とする。この文献（１）〜（３）の構成では、線材刃及び／又は平板刃の取付け位置が、基板のセンターに設けた取付け孔の近傍であるので、草の条件（堅軟、長短、太い、細い、密度等）によっては、その根元からの刈取りが困難視される。勿論、この線材刃及び／又は平板刃の基板より突出する長さに関係するが、通常の形態では、前述の如く、困難性が考えられる。
【００１０】
そして、線材刃の構成では、この線材刃を直接、かつ基板の上面と取付具の下端で圧着して取付ける構成でないので、この線材刃の安定性に欠けること、また離脱する虞があって、危険を伴うこと等の改良点が考えられる。
【００１１】
また線材刃を取付けるに際して、貫通孔に線材刃を貫通して圧着する方法でなく、例えば、この線材刃の環状部を形成しての取付けか、又は捲装しての取付け等の方法であるので、前述の如く、この線材刃の安定性に欠けること、また離脱する虞があって、危険を伴うこと等の改良点が考えられる。
【００１２】
尚、文献（４）は、上下盤の周辺部にガイドピンを介して取付ける構成である。しかし、この文献（４）は、円盤形状の平板刃であり、線材刃及び／又は平板刃の取付け基端を、基板の周辺部に取付ける構造とは、全く異なること、及び／又は草の条件に係らず、その根元からの刈取りが困難視されること等の課題が考えられる。
【課題を解決するための手段】
【００１３】
請求項１の発明は、次の「イ」〜「ハ」の目的を意図する。
【００１４】
「イ」  線材刃の取付け基端を、基板の周辺部に設けた取付け突起と固定具で、この基板の周辺部に設ける構成とし、草の条件（堅軟、長短、太い、細い、密度等）に係らず、その根元から刈取りを行うことを意図する。
【００１５】
「ロ」  線材刃を、取付け突起の貫通孔に貫通し、この貫通した線材刃を、直接、かつ底部と螺杆の下端で圧着して取付ける構成とし、この線材刃の安定性の向上を図ること、また離脱防止及び／又は危険性を回避すること等を意図する。
【００１６】
また「ハ」  線材刃を、取付け突起の貫通孔に貫通し、この貫通した線材刃を、前述の如く取付ける構成とし、この線材刃の取付けの容易化、迅速化、又は簡便化等を図りつつ、取扱いの容易な線材刃を提供することを意図する。
【００１７】
請求項１は、センターに取付け孔を開設した基板と、この基板の上面に対称位置関係となる内側に螺子部を刻設した複数の取付け突起を形成し、この取付け突起と螺子部を貫通する前記基板のセンターに向って開設した貫通孔と、前記取付け突起の螺子部に螺合する螺杆を備え、かつその上面に把持突条、嵌合溝等の可動手段を設けた固定具とで構成した草刈り・稲刈り用の刃物であって、
この草刈り・稲刈り用の刃物用の複数の線材刃を、前記取付け突起の貫通孔に、それぞれ貫設し、かつこの取付け突起の螺子部に螺合する固定具の螺杆で緊締するに際し、この取付け突起の螺子部に、この固定具の螺杆を螺入し、この螺杆の下端を、この取付け突起の底面に圧着して緊締する構成とした草刈り・稲刈り用の刃物である。
【００１８】
請求項２の発明は、請求項１の目的を達成すること、この目的を達成するのに最適な取付け突起の構造を提供すること等を意図する。
【００１９】
請求項２は、請求項１に記載の草刈り・稲刈り用の刃物において、この取付け突起の螺子部の螺子の刻設方向が、この基板の回転方向と逆方向に刻設されている構成とした草刈り・稲刈り用の刃物である。
【００２０】
請求項３の発明は、請求項１の目的を達成すること、この目的を達成するのに最適な基板と、この基板に重畳される押さえ円板の構造を提供すること等を意図する。
【００２１】
請求項３は、請求項１に記載の草刈り・稲刈り用の刃物において、この取付け突起に、押さえ円板の裏面を接触し、この押さえ円板を、前記基板に重畳し、この押さえ円板の複数の孔を介して前記固定具の螺杆を、前記取付け突起の螺子に螺合する構成とした草刈り・稲刈り用の刃物である。
【００２２】
請求項４の発明は、次の「ニ」〜「ト」の目的を意図する。
【００２３】
「ニ」  平板刃の取付け基端を、基板の周辺部に設けた取付け突起と固定具で、この基板の周辺部に設ける構成とし、草の条件に係らず、その根元から刈取りを行うことを意図する。
【００２４】
「ホ」  平板刃を、取付け突起に遊嵌し、この取付け突起が設けられた基板の上面と、取付け突起の螺子部に螺合する螺杆を備えた固定具の下面で、直接緊締して取付ける構成とし、この平板刃の安定性を確保すること、また離脱防止及び／又は危険性を回避すること等を意図する。
【００２５】
また「ヘ」  平板刃を、基板の上面と、螺杆を備えた固定具の下面で、直接緊締して取付ける構成とし、この平板刃の取付けの容易化、迅速化、又は簡便化等を図りつつ、取扱いの容易な平板刃を提供することを意図する。
【００２６】
尚、「ト」  平板刃の取付け用の孔を、長孔とし、この平板刃の前進及び／又は後退を可能としたので、衝撃時の平板刃の緩衝効果と、破損の防止を図ること、又は作業者への衝撃の緩和効果等を図ることを意図する。
【００２７】
請求項４は、センターに取付け孔を開設した基板と、この基板の上面に対称位置関係となる内側に螺子部を刻設した複数の取付け突起を形成し、またこの取付け突起の螺子部に螺合する螺杆を備え、かつその上面に把持突条、嵌合溝等の可動手段を設け、しかも前記取付け突起より大径となる鍔片を備えた固定具とで構成した草刈り・稲刈り用の刃物であって、
この草刈り・稲刈り用の刃物用の複数の勾玉状でなる平板刃の取付け孔を、前記取付け突起に、それぞれ遊嵌し、かつこの取付け突起の螺子部に螺合する固定具の螺杆で緊締するに際し、前記基板の上面と、この固定具の下面とで緊締する構成とした草刈り・稲刈り用の刃物である。
【００２８】
請求項５の発明は、請求項４の目的を達成すること、この目的を達成するのに最適な基板と、この基板に重畳される押さえ円板の構造を提供すること等を意図する。
【００２９】
請求項５は、請求項４に記載の草刈り・稲刈り用の刃物において、この取付け突起に、押さえ円板の裏面を接触し、この押さえ円板を、前記基板に重畳し、この重畳空間に前記平板刃を設け、かつこの押さえ円板の複数の孔を介して前記固定具の螺杆を、前記取付け突起の螺子部に螺合する構成とした草刈り・稲刈り用の刃物である。
【００３０】
請求項６の発明は、請求項１と、請求項４の目的を達成すること、線材刃と平板刃との切替えを可能として、利便性と、汎用性の向上と、全ての植物、又は枝葉、低木等の刈取りに有益な草刈り・稲刈り用の刃物を提供すること等を意図する。
【００３１】
請求項６は、センターに取付け孔を開設した基板と、この基板の上面に対称位置関係となる内側に螺子部を刻設した複数の取付け突起を形成し、この取付け突起と螺子部を貫通する前記基板のセンターに向って開設した貫通孔と、前記取付け突起の螺子部に螺合する螺杆を備え、かつその上面に把持突条、嵌合溝等の可動手段を設けた固定具とで構成した草刈り・稲刈り用の刃物であって、
この草刈り・稲刈り用の刃物用の複数の線材刃を、前記取付け突起の貫通孔に、それぞれ貫設し、かつこの取付け突起の螺子部に螺合する固定具の螺杆で緊締するに際し、この取付け突起の螺子部に、この固定具の螺杆を螺入し、この螺杆の下端を、この取付け突起の底面に圧着して緊締する構成と、
またこの草刈り・稲刈り用の刃物用の複数の勾玉状でなる平板刃の取付け孔を、前記取付け突起に、それぞれ遊嵌し、かつこの取付け突起の螺子部に螺合する固定具の螺杆で緊締するに際し、前記基板の上面と、この固定具の下面とで緊締する構成と、
を必要時に、それぞれ選択可能とすることを特徴とする構成とした草刈り・稲刈り用の刃物である。
【発明の効果】
【００３２】
請求項１の発明は、センターに取付け孔を開設した基板と、基板の上面に対称位置関係となる内側に螺子部を刻設した複数の取付け突起を形成し、取付け突起と螺子部を貫通する基板のセンターに向って開設した貫通孔と、取付け突起の螺子部に螺合する螺杆を備え、かつ上面に把持突条、嵌合溝等の可動手段を設けた固定具とで構成した草刈り・稲刈り用の刃物であって、
草刈り・稲刈り用の刃物用の複数の線材刃を、取付け突起の貫通孔に、それぞれ貫設し、かつ取付け突起の螺子部に螺合する固定具の螺杆で緊締するに際し、取付け突起の螺子部に、固定具の螺杆を螺入し、螺杆の下端を、取付け突起の底面に圧着して緊締する構成とした草刈り・稲刈り用の刃物である。
【００３３】
従って、請求項１は、次の「イ」〜「ハ」の特徴を有する。
【００３４】
「イ」  線材刃の取付け基端を、基板の周辺部に設けた取付け突起と固定具で、この基板の周辺部に設ける構成とし、草の条件（堅軟、長短、太い、細い、密度等）に係らず、その根元から刈取りが行える。
【００３５】
「ロ」  線材刃を、取付け突起の貫通孔に貫通し、この貫通した線材刃を、直接、かつ底部と螺杆の下端で圧着して取付ける構成とし、この線材刃の安定性が図れ、また離脱防止及び／又は危険性を回避できる。
【００３６】
また「ハ」  線材刃を、取付け突起の貫通孔に貫通し、この貫通した線材刃を、前述の如く取付ける構成とし、この線材刃の取付けの容易化、迅速化、又は簡便化等が図れ、また取扱いの容易な線材刃を提供できる。
【００３７】
請求項２の発明は、請求項１に記載の草刈り・稲刈り用の刃物において、取付け突起の螺子部の螺子の刻設方向が、基板の回転方向と逆方向に刻設されている構成とした草刈り・稲刈り用の刃物である。
【００３８】
従って、請求項２は、請求項１の目的を達成できること、この目的を達成するのに最適な取付け突起の構造を提供できること等の特徴を有する。
【００３９】
請求項３の発明は、請求項１に記載の草刈り・稲刈り用の刃物において、取付け突起に、押さえ円板の裏面を接触し、押さえ円板を、基板に重畳し、押さえ円板の複数の孔を介して固定具の螺杆を、取付け突起の螺子に螺合する構成とした草刈り・稲刈り用の刃物である。
【００４０】
従って、請求項３は、請求項１の目的を達成できること、この目的を達成するのに最適な基板と、この基板に重畳される押さえ円板の構造を提供できること等の特徴を有する。
【００４１】
請求項４の発明は、センターに取付け孔を開設した基板と、基板の上面に対称位置関係となる内側に螺子部を刻設した複数の取付け突起を形成し、また取付け突起の螺子部に螺合する螺杆を備え、かつ上面に把持突条、嵌合溝等の可動手段を設け、しかも取付け突起より大径となる鍔片を備えた固定具とで構成した草刈り・稲刈り用の刃物であって、
草刈り・稲刈り用の刃物用の複数の勾玉状でなる平板刃の取付け孔を、取付け突起に、それぞれ遊嵌し、かつ取付け突起の螺子部に螺合する固定具の螺杆で緊締するに際し、基板の上面と、固定具の下面とで緊締する構成とした草刈り・稲刈り用の刃物である。
【００４２】
従って、請求項４は、次の「ニ」〜「ト」の特徴を有する。
【００４３】
「ニ」  平板刃の取付け基端を、基板の周辺部に設けた取付け突起と固定具で、この基板の周辺部に設ける構成とし、草の条件に係らず、その根元から刈取りが行える。
【００４４】
「ホ」  平板刃を、取付け突起に遊嵌し、この取付け突起が設けられた基板の上面と、取付け突起の螺子部に螺合する螺杆を備えた固定具の下面で、直接緊締して取付ける構成とし、この平板刃の安定性の向上と、また離脱防止及び／又は危険性を回避できる。
【００４５】
また「ヘ」  平板刃を、基板の上面と、螺杆を備えた固定具の下面で、直接緊締して取付ける構成とし、この平板刃の取付けの容易化、迅速化、又は簡便化等を図りつつ、取扱いの容易な平板刃を提供できる。
【００４６】
尚、「ト」  平板刃の取付け用の孔を、長孔とし、この平板刃の前進及び／又は後退を可能としたので、衝撃時の平板刃の緩衝効果と、破損の防止が図れ、また作業者への衝撃の緩和効果等がある。
【００４７】
請求項５の発明は、請求項４に記載の草刈り・稲刈り用の刃物において、取付け突起に、押さえ円板の裏面を接触し、押さえ円板を、基板に重畳し、重畳空間に平板刃を設け、かつ押さえ円板の複数の孔を介して固定具の螺杆を、取付け突起の螺子部に螺合する構成とした草刈り・稲刈り用の刃物である。
【００４８】
従って、請求項５は、請求項４の目的を達成できること、この目的を達成するのに最適な基板と、この基板に重畳される押さえ円板の構造を提供できること等の特徴を有する。
【００４９】
請求項６の発明は、センターに取付け孔を開設した基板と、基板の上面に対称位置関係となる内側に螺子部を刻設した複数の取付け突起を形成し、取付け突起と螺子部を貫通する基板のセンターに向って開設した貫通孔と、取付け突起の螺子部に螺合する螺杆を備え、かつ上面に把持突条、嵌合溝等の可動手段を設けた固定具とで構成した草刈り・稲刈り用の刃物であって、
草刈り・稲刈り用の刃物用の複数の線材刃を、取付け突起の貫通孔に、それぞれ貫設し、かつ取付け突起の螺子部に螺合する固定具の螺杆で緊締するに際し、取付け突起の螺子部に、固定具の螺杆を螺入し、螺杆の下端を、取付け突起の底面に圧着して緊締する構成と、
また草刈り・稲刈り用の刃物用の複数の勾玉状でなる平板刃の取付け孔を、取付け突起に、それぞれ遊嵌し、かつ取付け突起の螺子部に螺合する固定具の螺杆で緊締するに際し、基板の上面と、固定具の下面とで緊締する構成と、
を必要時に、それぞれ選択可能とすることを特徴とする構成とした草刈り・稲刈り用の刃物である。
【００５０】
従って、請求項６は、請求項１と、請求項４の目的を達成できること、線材刃と平板刃との切替えを可能として、利便性と、汎用性の向上と、全ての植物、又は枝葉、低木等の刈取りに有益な草刈り・稲刈り用の刃物を提供できること等の特徴を有する。
【発明を実施するための最良の形態】
【００５１】
本発明の一例を説明する。
【００５２】
図面の説明をすると、図１−１は草刈り機の一例を示した側面図、図１−２は他の草刈り機の一例を示した側面図、図１−３は簡易型の稲収穫機の使用状態の一例を示した斜視図、図２は第一の実施例であり線材刃を取付け突起の貫通孔に挿入した状態の俯瞰図、図３は図２の状態の線材刃を固定するための固定具を分解して示した俯瞰図、図４は図２の線材刃の組付け（取付け）を示した俯瞰図、図５は図２に示した取付け突起の螺子部と固定具の螺杆との関係を示した拡大断面図、図６は図２の第一の実施例の他の例を示した俯瞰図、図７は図６の状態の線材刃を固定するための固定具を分解して示した俯瞰図、図８は図６の線材刃の組付け（取付け）を示した俯瞰図、図９は図２の第一の実施例のさらに他の例を示した俯瞰図、図１０は図９の線材刃の組付け（取付け）を示した俯瞰図、図１１は図２の第一の実施例の別の例を示した俯瞰図、図１２は図１１の線材刃の組付け（取付け）を示した俯瞰図、図１３は第二の実施例であり線材刃を取付け突起の貫通孔に挿入し、押さえ円板を分解して示した俯瞰図、図１４は図１３の線材刃の組付け（取付け）を示した俯瞰図である。
【００５３】
そして、図１５は第三の実施例であり平板刃の取付け孔を取付け突起に遊嵌した状態の俯瞰図、図１６は図１５の状態の平板刃を固定するための固定具を分解して示した俯瞰図、図１７は図１５の平板刃の組付け（取付け）を示した俯瞰図、図１８は図１５に示した取付け突起の螺子部と固定具の螺杆との関係を示した拡大断面図、図１９は図１５の第一の実施例の他の例を示した俯瞰図、図２０は図１９の状態の平板刃を固定するための固定具を分解して示した俯瞰図、図２１は図１９の平板刃の組付け（取付け）を示した俯瞰図、図２２は図１５の第一の実施例のさらに他の例を示した俯瞰図、図２３は図２２の平板刃の組付け（取付け）を示した俯瞰図、図２４は図１５の第一の実施例の別の例を示した俯瞰図、図２５は図２４の平板刃の組付け（取付け）を示した俯瞰図、図２６は第四の実施例であり平板刃を取付け突起に遊嵌し、押さえ円板を分解して示した俯瞰図、図２７は図２６の平板刃の組付け（取付け）を示した俯瞰図である。
【００５４】
図２８〜図３３は平板刃の各形状（形態）を示したものであり、図２８は剣形状でストレートな刃部を有する正面図、図２９は勾玉形状でストレートな刃部を有する正面図、図３０は勾玉形状で雲波模様の刃部を有する正面図、図３１は細長ブレード形状（略ネクタイ形状）でストレートな刃部を有する正面図、図３２は細長ブレード形状で一部に雲波模様の刃部を有する正面図、図３３は細長ブレード形状で全体に雲波模様の刃部を有する正面図である。
【００５５】
以下、本発明の実施例を順次説明する。図１−１と図１−２は、草刈り機Ａの各例を示したものであり、Ａ１は柄、Ａ２はハンドル、Ａ３は駆動部、Ａ４は回転軸鞘管、Ａ５は回転軸、Ａ６はカバー、Ａ７は肩掛けベルトを示している。
【００５６】
◎  図２〜図１４に示した線材刃に関する第一の実施例、第二の実施例を説明する。
【００５７】
そして、この第一の実施例、第二の実施例において共通する構成を説明すると、１は金属製、樹脂製等の平板状の基板で、この基板１のセンターは草刈り機Ａの回転軸Ａ５に嵌合される取付け孔２を有する。そして、この基板１の周辺部１００（円周端に近い位置）には複数の取付け突起３が対称位置関係に設けられている。そして、この取付け突起３には螺子部３００と、この螺子部３００に直交する貫通孔３０１が設けられており、この貫通孔３０１は、基板１の軸心方向に向っている。尚、各取付け突起３及び螺子部３００、貫通孔３０１等の構造は、全く同じとなっている。従って、この貫通孔３０１は、基板１の軸心において交差する構造である。このように、取付け突起３を、基板１の周辺部１００に設ける構成であって、軸心より離れた位置関係であるので、後述の線材刃５に惰力が付き減速現象が軽微なため草刈能力が高いことが特徴である。尚、この線材刃５は、貫通孔３０１に挿入されるとともに、貫通する構造である。またこの線材刃５は、堅固な障害物（ブロック塀、石垣、鉄柱等）周りの軟らかい草の背丈（７０ｍｍ以下）、茎（４ｍｍ以下）等の少量の草刈作業に適している。またこの線材刃５の形態としては、例えば、一面側に刃部を形成すること、短手方向に断面視して角型、又は長手方向で円弧形状、直線形状や、或いは先端側に膨出部位を設ける構成（線材刃５の耐久性、破損の回避、草刈りの効率化等が可能「他の例も同じ」）等が考えられる。
【００５８】
６は螺杆６００を備えた固定具で、この固定具６の上面６ａには把持突条（可動手段の一例である）６０１を有する。そして、この固定具６の螺杆６００は、前記取付け突起３の螺子部３００に螺入される。またこの取付け突起３の螺子部３００は、基板１の回転方向と逆螺子とする。これによって、基板１の回転に対しても、固定具６の螺杆６００が螺戻しない構造とする。
【００５９】
この第一の実施例、第二の実施例において、固定具６のみを利用して線材刃５を取付ける（緊締）する一例を、図２〜図１２を参照に説明すると、この線材刃５を、取付け突起３の貫通孔３０１に挿入し、かつ基板１の周辺部１００方向より行い、その挿入端（基板１の軸心方向）を、貫通孔３０１より突出する。この状態において、図５の如く、取付け突起３の螺子部３００に固定具６の螺杆６００を順次螺入することで、この螺子部３００の底部（取付け突起３の底部）と、螺杆６００の下端とで圧着する。
【００６０】
尚、この圧着の際に、螺子部３００の上面に固定具６の下面が接触することが理想であるが、後述する第二の実施例との部品の共通化等を考慮した場合には、接触しない構成もあり得る。但し、圧着状態は確保することが望ましい。またこの圧着の場合に、貫通孔３０１に対して螺子部３００の底部を深く（Ｈ）する構成とすれば、この線材刃５を撓むように緊締し、その抜け防止と、基板１及び／又は線材刃５のブレ防止に有効と考えられる。以上の作業と緊締を、他の取付け突起３と線材刃５並びに固定具６でそれぞれ行うことで、この基板１に線材刃５がそれぞれ取付けられる。尚、図６〜図８に示した基板１の孔７は、空気抜きと、軽量化等に寄与できる。そして、この軽量化は、肩掛け方式の草刈り機、手持ち方式の草刈り機等に有益である。また本発明では、線材刃５の取付け、取外しが簡便であり、かつ何人も容易に、この取付け等の作業が行えること、この作業が安全であり、また迅速に行えること等特徴がある（他の各実施例も同じ）。
【００６１】
次に、図１３、図１４は押さえ円板８を利用する第二の実施例における取付け方法であって、この押さえ円板８は基板１の外側寸法と略同じとする。そして、この押さえ円板８には、基板１の取付け突起３の螺子部３００に対応する取付け孔１０を複数開設する。この第二の実施例では、強度の確保と、草刈り刃物の雑草、茎等の陥没防止、又は安全性の確保、またブレ防止等のために、鍔片８００を繞設し、押さえ円板８の基板部８０１より上方に突出する構成を採用することも可能である。この例においては、前述の如く、全ての取付け突起３に各線材刃５をそれぞれ貫通した後（原則として、複数作業の際は、一つの作業として説明する）に、この取付け突起３の上面に、押さえ円板８の下面を接触するとともに、螺子部３００に取付け孔１０を整合する。この状態において、前述の例と同様に、螺子部３００に固定具６の螺杆６００を挿入し、線材刃５を圧着して取付ける。そして、この第二の実施例では、押さえ円板８の上面に、固定具６の下面に接触する（圧接される）。この接触を図ることで、押さえ円板８の安全性と、ブレ防止を図ることを意図する。尚、第一の実施例との部品の共通化等を考慮した場合には、接触しない構成もあり得る。但し、圧着状態は確保することが望ましい。
【００６２】
◎  図１５〜図２７に示した平板刃に関する第三の実施例、第四の実施例を説明する。
【００６３】
そして、この第三の実施例、第四の実施例において共通する構成を説明するが、前述の第一の実施例等と共通の構成は省略し、相違点のみ説明する。１５は樹脂製、金属製等の平板形態でなる平板刃で、この平板刃１５は、図２８〜図３３に示した各形態があるので後述する。そして、この平板刃１５は、刃物本体１５ａを刃身１５００と、刃部１５０１で構成し、その基端部１５ｂに取付け用の長孔１５０２を形成する。またこの基端部１５ｂは刃物本体１５ａに対して肉厚とする。尚、平板刃１５を、基板１の周辺部１００に取付けることにより、この平板刃１５に惰力が付き減速現象が軽微なため草刈能力が高い特徴があるが、この第三の実施例、第四の実施例では、前述の線材刃５に比し、更なる効果が期待できる。
【００６４】
この第三の実施例、第四の実施例において、固定具６のみを利用して平板刃１５を取付ける（緊締）する一例を、図１５〜図２５を参照に説明すると、この平板刃１５の長孔１５０２を、基板１の周辺部１００に設けた取付け突起３の外周部に遊嵌し、かつこの平板刃１５の基端部１５ｂの肉厚が、取付け突起３の立上り長さ（Ｌ）と略同一とする。この状態において、図１８の如く、取付け突起３の螺子部３００に固定具６の螺杆６００を順次螺入し、この固定具６の下面と、基板１の上面とで、平板刃の基端部１５ｂを挾持、緊締する。
【００６５】
尚、この緊締の際に、固定具６の下面と、基板１の上面とで、平板刃１５を挾持することが理想であるが、後述する第四の実施例との部品の共通化等を考慮した場合には、挾持を望まない構成もあり得る。但し、緊締（取付け）状態は確保することが望ましい。またこの挾持、緊締が図れる構成とすれば、この平板刃１５の強固な緊締、その抜け防止と、基板１及び／又は平板刃１５のブレ防止に有効と考えられる。以上の作業と緊締を、他の取付け突起３と平板刃１５並びに固定具６でそれぞれ行うことで、この基板１に平板刃１５がそれぞれ取付けられる。尚、図１９〜図２１に示した基板１の孔７は、空気抜きと、軽量化等に寄与できる。そして、この軽量化は、肩掛け方式の草刈り機、手持ち方式の草刈り機等に有益である。
【００６６】
次に、図２６、図２７は押さえ円板８を利用する第四の実施例における取付け方法であって、この押さえ円板８は基板１の外側寸法と略同じとする。そして、この押さえ円板８には、基板１の取付け突起３の螺子部３００に対応する取付け孔１０を複数開設する。この第四の実施例では、強度の確保と、草刈り刃物の雑草、茎等への陥没防止、又は安全性の確保、またブレ防止等のために、鍔片８００を繞設し、押さえ円板８の基板部８０１より上方に突出する構成を採用することも可能である。この例においては、前述の如く、全ての取付け突起３に各平板刃１５をそれぞれ貫通した後（原則として、複数作業の際は、一つの作業として説明する）に、この取付け突起３の上面に、押さえ円板８の下面を接触するとともに、螺子部３００に取付け孔１０を整合する。この状態において、前述の例と同様に、螺子部３００に固定具６の螺杆６００を挿入し、平板刃１５を挾持して取付ける。そして、この第四の実施例では、押さえ円板８の上面に、固定具６の下面に接触する（圧接される）。この接触を図ることで、押さえ円板８の安全性と、ブレ防止を図ることを意図する。尚、第三の実施例との部品の共通化等を考慮した場合には、接触しない構成もあり得る。但し、挾持状態は確保することが望ましい。
【００６７】
尚、図２８〜図３３は平板刃１５の各形状（形態）を示したものであり、図２８は剣形状でストレートな刃部１５０１を有する正面図、図２９は勾玉形状でストレートな刃部１５０１を有する正面図であり、また図３０は勾玉形状で雲波模様Ｂの刃部１５０１を有する正面図、図３１は細長ブレード形状（略ネクタイ形状）でストレートな刃部１５０１を有する正面図であり、さらに図３２は細長ブレード形状で一部に雲波模様Ｂの刃部１５０１を有する正面図であり、図３３は細長ブレード形状で全体に雲波模様Ｂの刃部１５０１を有する正面図である。尚、この雲波模様Ｂは一例であり限定されない。そして、この刃部１５０１の構成は一例であり、図３０〜図３３の形態は、強靭性、回転力等の向上と、草刈りの効率化が図れる特徴がある。
【００６８】
また図１−３は、簡易型の稲刈り機Ｃの一例を示したものであり、大型のコンバインが入らない狭い水田用として有益である。例えば、段々畑、棚田に使用する。稲刈り機Ｃは、前述の草刈り機Ａとほぼ同じ構成・効果であり、その説明は省略する。但し、刃物の大きさが変更される例もあり得る。また稲に限らず、麦等の他の作物に利用できる。
【図面の簡単な説明】
【００６９】
【図１−１】図１−１は草刈り機の一例を示した側面図
【図１−２】図１−２は他の草刈り機の一例を示した側面図
【図１−３】図１−３は簡易型の稲刈り機の使用状態の一例を示した斜視図
【図２】図２は第一の実施例であり線材刃を取付け突起の貫通孔に挿入した状態の俯瞰図
【図３】図３は図２の状態の線材刃を固定するための固定具を分解して示した俯瞰図
【図４】図４は図２の線材刃の組付け（取付け）を示した俯瞰図
【図５】図５は図２に示した取付け突起の螺子部と固定具の螺杆との関係を示した拡大断面図
【図６】図６は図２の第一の実施例の他の例を示した俯瞰図
【図７】図７は図６の状態の線材刃を固定するための固定具を分解して示した俯瞰図
【図８】図８は図６の線材刃の組付け（取付け）を示した俯瞰図
【図９】図９は図２の第一の実施例のさらに他の例を示した俯瞰図
【図１０】図１０は図９の線材刃の組付け（取付け）を示した俯瞰図
【図１１】図１１は図２の第一の実施例の別の例を示した俯瞰図
【図１２】図１２は図１１の線材刃の組付け（取付け）を示した俯瞰図
【図１３】図１３は第二の実施例であり線材刃を取付け突起の貫通孔に挿入し、押さえ円板を分解して示した俯瞰図
【図１４】図１４は図１３の線材刃の組付け（取付け）を示した俯瞰図
【図１５】図１５は第三の実施例であり平板刃の取付け孔を取付け突起に遊嵌した状態の俯瞰図
【図１６】図１６は図１５の状態の平板刃を固定するための固定具を分解して示した俯瞰図
【図１７】図１７は図１５の平板刃の組付け（取付け）を示した俯瞰図
【図１８】図１８は図１５に示した取付け突起の螺子部と固定具の螺杆との関係を示した拡大断面図
【図１９】図１９は図１５の第一の実施例の他の例を示した俯瞰図
【図２０】図２０は図１９の状態の平板刃を固定するための固定具を分解して示した俯瞰図
【図２１】図２１は図１９の平板刃の組付け（取付け）を示した俯瞰図
【図２２】図２２は図１５の第三の実施例のさらに他の例を示した俯瞰図
【図２３】図２３は図２２の平板刃の組付け（取付け）を示した俯瞰図
【図２４】図２４は図１５の第三の実施例の別の例を示した俯瞰図
【図２５】図２５は図２４の平板刃の組付け（取付け）を示した俯瞰図
【図２６】図２６は第四の実施例であり平板刃を取付け突起に遊嵌し、押さえ円板を分解して示した俯瞰図
【図２７】図２７は図２６の平板刃の組付け（取付け）を示した俯瞰図
【図２８】図２８は平板刃を剣形状とし、ストレートな刃部を有する正面図
【図２９】図２９は平板刃を勾玉形状とし、ストレートな刃部を有する正面図
【図３０】図３０は平板刃を勾玉形状とし、雲波模様の刃部を有する正面図
【図３１】図３１は平板刃を細長ブレード形状（略ネクタイ形状）とし、ストレートな刃部を有する正面図
【図３２】図３２は平板刃を細長ブレード形状とし、その一部に雲波模様の刃部を有する正面図
【図３３】図３３は平板刃を細長ブレード形状とし、その全体に雲波模様の刃部を有する正面図
【符号の説明】
【００７０】
１                基板
１００            周辺部
２                取付け孔
３                取付け突起
３００            螺子部
３０１            貫通孔
５                線材刃
６                固定具
６ａ              上面
６００            螺杆
６０１            把持突条
７                孔
８                押さえ円板
８００            鍔片
８０１            基板部
１０              取付け孔
１５              平板刃
１５ａ            刃物本体
１５ｂ            基端部
１５００          刃身
１５０１          刃部
１５０２          長孔
Ａ                草刈り機
Ａ１              柄
Ａ２              ハンドル
Ａ３              駆動部
Ａ４              回転軸鞘管
Ａ５              回転軸
Ａ６              カバー
Ａ７              肩掛けベルト
Ｂ                雲波模様
Ｃ                稲刈り機
（Ｈ）            深く
（Ｌ）            立上り長さ
【図１−１】
2007312747.tif 000003
【図１−２】
2007312747.tif 000004
【図１−３】
2007312747.tif 000005
【図２】
2007312747.tif 000006
【図３】
2007312747.tif 000007
【図４】
2007312747.tif 000008
【図５】
2007312747.tif 000009
【図６】
2007312747.tif 000010
【図７】
2007312747.tif 000011
【図８】
2007312747.tif 000012
【図９】
2007312747.tif 000013
【図１０】
2007312747.tif 000014
【図１１】
2007312747.tif 000015
【図１２】
2007312747.tif 000016
【図１３】
2007312747.tif 000017
【図１４】
2007312747.tif 000018
【図１５】
2007312747.tif 000019
【図１６】
2007312747.tif 000020
【図１７】
2007312747.tif 000021
【図１８】
2007312747.tif 000022
【図１９】
2007312747.tif 000023
【図２０】
2007312747.tif 000024
【図２１】
2007312747.tif 000025
【図２２】
2007312747.tif 000026
【図２３】
2007312747.tif 000027
【図２４】
2007312747.tif 000028
【図２５】
2007312747.tif 000029
【図２６】
2007312747.tif 000030
【図２７】
2007312747.tif 000031
【図２８】
2007312747.tif 000032
【図２９】
2007312747.tif 000033
【図３０】
2007312747.tif 000034
【図３１】
2007312747.tif 000035
【図３２】
2007312747.tif 000036
【図３３】
2007312747.tif 000037